(57)【要約】【課題】ハンチプレートのボルトを脱落のない取り付け構成にし、かつ止水性をもたせる。【解決手段】コンクリートを打設して作成される合成床版に使われるハンチプレート２に弾性力で保持される仮止め用脱落防止体１である。この仮止め用脱落防止体１は、内径部にボルト７を挿入して密着保持し運搬中であっても脱落させない。外形部がハンチプレート２に密着保持される略筒状の弾性部材である。仮止め用脱落防止体１は端部が分割して弾性変形しやすくなっており、又、シール機能を有しているので水を通さない。【選択図】  図１
2005069257.tif 000002
【特許請求の範囲】
【請求項１】
底鋼板と、この底鋼板にリブを有して構成される床版パネルとハンチプレートと取り付け後、鉄筋を配置しコンクリートを打設して構成される合成床版において、
前記ハンチプレートに設けられ、前記底鋼板と前記ハンチプレートに結合するための結合部材を弾性変形して保持させることを特徴とする仮止め用脱落防止体。
【請求項２】
請求項１記載の仮止め用脱落防止体において、
前記仮止め用脱落防止体は、内径部に前記結合部材を挿入して密着保持し、外形部が前記ハンチプレートに密着保持される略筒状の弾性部材であることを特徴とする仮止め用脱落防止体。
【請求項３】
請求項１記載の仮止め用脱落防止体において、
前記仮止め用脱落防止体は、両端部が前記ハンチプレートに跨る状態で挟持される形状であることを特徴とする仮止め用脱落防止体。
【請求項４】
請求項２記載の仮止め用脱落防止体において、
前記仮止め用脱落防止体は、前記底鋼板側に位置する内径部の端部径が中間部内径より小径であることを特徴とする仮止め用脱落防止体。
【請求項５】
請求項２記載の仮止め用脱落防止体において、
前記仮止め用脱落防止体は、前記底鋼板側に位置する端部が複数のスリットを有して分割され径方向に弾性変形可能な形状になっていることを特徴とする仮止め用脱落防止体。
【請求項６】
請求項２記載の仮止め用脱落防止体において、
前記仮止め用脱落防止体は、前記ハンチプレートに密着する部位及び前記結合部材に密着する部位に凸条部を設けたことを特徴とする仮止め用脱落防止体。
【発明の詳細な説明】
【０００１】
【発明の属する技術分野】
本発明は、鋼板と鉄筋をプレファブした床版パネルをハンチプレートに結合する結合構成に関する。更に詳しくは、コンクリートが打設される合成床版において、ハンチプレートに床版パネルの底鋼板を結合する結合部材の結合構成に関する。
【０００２】
【従来の技術】
橋梁等の床版には、現場で型枠（木製パネル）を作り、鉄筋等を配した後、コンクリートを打設して全てを現場で完成させる床版と、予め工場で型枠を作り、更に鉄筋の一部を配したパネルにコンクリートを打設して現場に運搬し設置するプレキャスト床版がある（例えば、特許文献１参照）。又、最近においては、予め工場で型枠と鉄筋を配した床版パネルを作り現場に運搬し、同様に工場で作られたハンチプレートを現場にて設置し床版パネルを組み立て、現場でコンクリートを打設して床版を完成させることが行われている。
【０００３】
後者の施工技術は、ハンチプレートに溶接で取り付けられたスタッドボルトを介して床版パネルの底鋼板とハンチプレートを結合し、この結合の後コンクリートが打設され床版を完成している。最終的には、ハンチプレートを橋桁の主桁フランジに取り付けることにより、合成床版を橋桁に設置する。
【０００４】
一方、ボルト等による一般的な結合あるいは保持技術については種々の形態があり、結合作業を短時間に行うことを目的に、先端部が分割し弾性変形可能な締結補助部品は知られている（例えば、特許文献２参照）。更に、ボルト挿通孔に挿し込んだまま抜け出ることなく保持が可能で、ボルト締め作業を容易に行うことのできるボルトも知られている（例えば、特許文献３参照）。
【０００５】
【特許文献１】
特開２００１−３１７０１２号公報
【特許文献２】
特開２００１−１４０８４３号公報
【特許文献３】
実開平６−３２７２３号公報
【０００６】
【発明が解決しようとする課題】
特に後者のスタッドボルトを介して行う施工方法においては、ハンチプレートに多くのスタッドボルトを取り付けなければならないことから、溶接作業の工数が多くなり、その結果コストの高い作業を強いられていた。これは、全般的に当てはまることではあるが、現場施工については建設技能者の減少やそれに伴う省力化等の要求が一層強くなっている。従って最近は、橋梁等の工期短縮のため、前述のように予め工場でパネル化等を行うなどして、前もって構成体を作成してから現場に搬入し施工することにより、現場での作業を出来るだけ少なくし省力化を図っている。スタッドボルト使用の前述の施工もその一例である。
【０００７】
この後者の例は、予めコンクリートを工場で打設してから運搬し現場で設置するプレキャスト床版と異なり、工場では打設しないで床版パネルの状態で運搬し現場で打設する施工である。この施工の利点は、運搬が軽量化され運搬コストが低減されることにある。本発明は、特にこの後者の施工技術の向上を図ったもので、前述の従来の課題を解決し、次の目的を達成するものである。
【０００８】
本発明の目的は、ハンチプレートに取り付けが可能で溶接なしでボルト保持を可能とし、ハンチプレートから脱落しない構成で現場への運搬を可能とする仮止め用脱落防止体を提供することにある。本発明の他の目的は、ハンチプレートにボルトを密着構成で取り付け、止水性を保持することが可能な仮止め用脱落防止体を提供することにある。本発明の更に他の目的は、低コストの合成床版の結合構成を実現する仮止め用脱落防止体を提供することにある。
【０００９】
【課題を解決するための手段】
上記目的を達成するために、次の手段を採る。即ち、
本発明１の仮止め用脱落防止体は、底鋼板と、この底鋼板にリブを有して構成される床版パネルとハンチプレートと取り付け後、鉄筋を配置しコンクリートを打設して構成される合成床版において、前記ハンチプレートに設けられ、前記底鋼板と前記ハンチプレートに結合するための結合部材を弾性変形して保持させることを特徴とする。
【００１０】
本発明２の仮止め用脱落防止体は、本発明１のの仮止め用脱落防止体において、
前記仮止め用脱落防止体は、内径部に前記結合部材を挿入して密着保持し、外形部が前記ハンチプレートに密着保持される略筒状の弾性部材であることを特徴とする。
本発明３仮止め用脱落防止体は、本発明１の仮止め用脱落防止体において、
前記仮止め用脱落防止体は、両端部が前記ハンチプレートに跨る状態で挟持される形状であることを特徴とする。
本発明４仮止め用脱落防止体は、本発明２の仮止め用脱落防止体において、
前記仮止め用脱落防止体は、前記底鋼板側に位置する内径部の端部径が中間部内径より小径であることを特徴とする。
【００１１】
本発明５仮止め用脱落防止体は、本発明２の仮止め用脱落防止体において、
前記仮止め用脱落防止体は、前記底鋼板側に位置する端部が複数のスリットを有して分割され径方向に弾性変形可能な形状になっていることを特徴とする。
本発明６仮止め用脱落防止体は、本発明２の仮止め用脱落防止体において、
前記仮止め用脱落防止体は、前記ハンチプレートに密着する部位及び前記結合部材に密着する部位に凸条部を設けたことを特徴とする。
【００１２】
【発明の実施の形態】
以下本発明の実施の形態を図面を参照しながら説明する。図１は本発明の仮止め用脱落防止体を適用した合成床版の部分断面図である。仮止め用脱落防止体１は、ゴム等の弾性体で構成されパッキン機能を有する部材である。この仮止め用脱落防止体１は、ハンチプレート２に取り付けられるものである。ハンチプレート２は、合成床版のベースに関連するものであり橋桁等に連結する部材の一つである。このハンチプレート２は、予め工場で作られ現場に運搬され設置される。
【００１３】
このハンチプレート２は橋梁等の基礎部分の施工が完了すると、このハンチプレート２と予め工場で作られた床版パネル３とを取り付ける。この床版パネル３は、底鋼板４と縦鋼板５等から構成され、図示していないが内部に配力鉄筋が張り巡らされているものである。又、縦鋼板５等にＨ形鋼板を使用する場合もある。床版パネル３の底鋼板４をハンチプレート２に密着して取り付け一体化する。
合成床版はこの一体化した構成体にコンクリート６を打設して完成したものである。
【００１４】
床版パネル３をハンチプレート２と一体化するためには、先ず本実施の形態の仮止め用脱落防止体１をハンチプレート２に取り付ける。ハンチプレート２には、孔２ａが明けられていて、仮止め用脱落防止体１を弾性変形させ、その孔２ａ内に差込む。仮止め用脱落防止体１は、筒状の円柱状体で両端部がフランジ状になっていて、中央部の外形中央部１ａはスリット状の凹部が形成された弾性体である。フランジ状の一方の端部１ｅは、ハンチプレート２の孔２ａ外に突き出し、ハンチプレート２下面に密着する。
【００１５】
反対側のフランジ状の端部１ｃも前述の端部１ｅと同様にハンチプレート２の孔２ａの外に突き出し、ハンチプレート２上面に密着している。又、端部１ｃの外形部１ｄは外端が小径をなし傾斜部、即ちテーパーを構成している。従って、仮止め用脱落防止体１は両端部１ｃ，１ｅでハンチプレート２を挟み込んだ状態となり、ハンチプレート２からは外れない構成になっている。
【００１６】
仮止め用脱落防止体１の内径部１ｂにボルト７を差し込み、弾性力でボルト７を保持し、ボルト７が仮止め用脱落防止体１から脱落しないようにしている。ボルト７が挿入された後、押さえ板８を底鋼板４上に置き、この押さえ板８とハンチプレート２で底鋼板４を挟み、ナット９でボルト７をねじ締めする。この作業が全て完了した後、床版パネル３内にコンクリート６が打設され合成床版が作成される。
【００１７】
この作業は、予め工場でハンチプレート２にボルト７を本発明の仮止め用脱落防止体１で保持した構成のものと、同様に予め工場で作成された床版パネル３とを現場で一体化し合成床版とするものである。図２は、本実施の形態の仮止め用脱落防止体１を適用してハンチプレート２にボルト７を保持した状態を示したものである。この状態で工場から現場に運搬される。
【００１８】
図３及び図４は、仮止め用脱落防止体１の単体の構成を示す図であり、図３は仮止め用脱落防止体１の平面図、図４は仮止め用脱落防止体１の断面図である。
図で示すように、外形部１ｄが小径をなす一方の端部１ｃは、内径部１ｆも端部が小径をなす状態で中心部に傾斜している。又、この端部１ｃは、３つの溝１ｇが径方向に設けられ、分割された各端部１ｃは径方向に弾性変形が可能である。
この溝１ｇは３つに限定されない。例えば、４つの溝でもよく、６つ、あるいは８つの溝であってもよい。
【００１９】
従って、この形状の仮止め用脱落防止体１がハンチプレート２の孔２ａに差し込まれた後ボルト７を挿入したときは、図５に示すように、端部が小径をなす内径部１ｆを有する端部１ｃがボルト７のねじ部にＡに示すように弾性変形で食い込む状態になる。ボルト７の挿入は容易であり、ボルト７は挿入された位置で保持される。他方反対側の端部１ｅは、フランジを構成し、そのフランジ径は孔２ａより大きくなっていて、ハンチプレート２の下面に張り出している。
【００２０】
従って、この仮止め用脱落防止体１は、端部１ｃ，１ｅによりハンチプレート２に挟み込まれていて、且つ内径部１ｆがボルト７に食い込む状態になっているので、ハンチプレート２から脱落することはない。仮止め用脱落防止体１の材質はゴム等の一般的な弾性体として説明しているが、エラストマー等合成樹脂であってもよい。
【００２１】
図５は、仮止め用脱落防止体１の取り付け構成を示す説明図であるが、この図をもとに詳述すると、仮止め用脱落防止体１の小径部を有する端部１ｃは、単体状態のときはＤに示す二点鎖線のように中心寄りに傾斜しているが、ボルト７が挿入されると、ボルト７の軸体（ねじ）７ａに沿って分割された端部１ｃは外方Ｂ方向に弾性変形する。又小径の内径部１ｆの一部は前述のとおり、Ａに示すようにボルト７のねじ部に食い込む。
【００２２】
更に、この仮止め用脱落防止体１はナット９によってＣ方向に締められ、ボルト７及びハンチプレート２に密着することになる。ボルト７とナット９の締めつけにより、仮止め用脱落防止体１は圧縮され、特にＥ部に示すようにハンチプレート２の孔２ａ回りに押しつけられ密着状態となる。この結果、ボルト７は仮止め用脱落防止体１の内径部１ｂで締め付けられると同時に、小径の内径部１ｆで軸体（ねじ）７ａが締め付けられることになる。
【００２３】
又、ナットで締めない状態であっても、ハンチプレート２にボルト７が仮止め用脱落防止体１を介して弾性力で保持される状態なので、現場に運搬する場合に、ボルト７をハンチプレート２に取り付けたまま脱落することなくハンチプレート２を運搬することができる。当然のことながら現場に設置された状態であってもボルト７はハンチプレート２から外れることはない。
【００２４】
即ち、ボルト７は脱落せず溶接された状態と同じ形態で保持されることになる。この状態は、従来構成のハンチプレート２にスタッドボルトを溶接した状態に準じるが、溶接の必要がなくハンチプレート２に仮止め用脱落防止体１とボルト７を差し込むだけの構成で成立している。また、ボルト７は、汎用の市販ボルトが使用できるために、スタッドボルトより強度の高いものが使用できる。
【００２５】
図６は、第２の実施の形態を示す仮止め用脱落防止体１１単体の断面図である。この例は、フランジ端部１１ａに凸条部１１ｂ，１１ｃを円周に沿って輪状に設けたものである。これはハンチプレート２の上面から孔２ａを介して下面に水が漏れるのを防止するための構成である。この構成の仮止め用脱落防止体１１をハンチプレート２へ取り付ける構成は図１に準じるので図示することは省略する。
【００２６】
フランジ端部１１ａに凸条部１１ｂ，１１ｃを設けることで、ボルト７側を介しての水漏れはボルト７首側の凸条部１１ｂで、ハンチプレート２の孔２ａからの水漏れはハンチプレート２側の凸条部１１ｃで止水することができる。各凸条部１１ｂ，１１ｃは、円周に沿い円を描いて設けられている。即ち、ボルト７が締め付けられたとき、仮止め用脱落防止体１１のフランジ端部１１ａはボルト７及びハンチプレート２に圧着され、これに伴い各凸条部１１ｂ，１１ｃはシールの機能を果たす。反対側の端部１１ｄの形状は、図４の場合と同様である。
【００２７】
図７は、第３の実施の形態を示す仮止め用脱落防止体２１単体の断面図である。この例は、仮止め用脱落防止体２１の端部２１ａを金属製のリング体２２に接着あるいは溶着等で取り付け一体化した例である。一方の小径の端部２１ｂ形状は前述の実施形態と同じである。凸条部２１ｃ，２１ｄが内径部２１ｅと中央外形部２１ｆに設けられている。ハンチプレート２を小径の端部２１ｂとリング体２２で挟み保持する構成である。止水機能については前述同様である。
【００２８】
図８は、第４の実施の形態を示す仮止め用脱落防止体３１単体の断面図である。この例は、仮止め用脱落防止体３１の小径の端部３１ａの外形側の一部に襞３１ｂを設けた例である。小径の端部３１ａに部分的に柔軟性を持たせることができる。
【００２９】
図９は、第５の実施の形態を示す仮止め用脱落防止体４１単体の断面図である。この例は、仮止め用脱落防止体４１の小径の端部４１ａの小径の内径部４１ｂの一部に襞４１ｃを設けた例である。小径の内径部４１ｂに部分的に柔軟性を持たせることができることでは、図８の場合と同様である。
【００３０】
図１０は、第６の実施の形態を示す仮止め用脱落防止体５１単体の断面図である。この例は、下面を皿ざぐりされたハンチプレート２の孔２ａに仮止め用脱落防止体５１の一部５１ａを食い込ませる形状としたものである。小径の端部５１ｂは、図４等と同様構成である。この形状の場合はフランジ端部のように外方に大きく張り出す形状ではないので、仮止め用脱落防止体５１をやや硬い弾性体に構成することが可能である。又、ボルト７を締めつける場合は、ボルト７の首部７ｂを直接ハンチプレート２下面に当接して締めつけることができる。
【００３１】
以上本発明の実施例について説明してきたが、何れの例においても、ボルトの締め付け作業は、床版パネル側から行える。仮止め用脱落防止体は弾性体であり、ボルト及びハンチプレートに対する接触面積を多くしているので、ボルトをナットで締めるときボルトが空回りすることはない。従って、ハンチプレート下面において作業を必要とすることはなく、ハンチプレート上面側で締めつけ作業を行うことができる。又、結合部材をボルトとして説明したが、他の手段であってもよい。本発明の具体的構成は請求の範囲において種々の形状が考えられるが、実施例の構成に限定されるものではないことはいうまでもない。
【００３２】
【発明の効果】
以上説明したように、本発明の仮止め用脱落防止体は、ハンチプレートに溶接することなくボルト保持を可能とするように仮止め用脱落防止体を創案した構成にしたので、スタッドボルトを個々に溶接するような工数は省かれ、ボルトを保持したままハンチプレートを現場に運搬し設置できる。床版パネルとの取り付けも容易で確実な構成となった。
【００３３】
また、仮止め用脱落防止体を止水構造にしシール効果を高めた。更に、作業時間の短縮、簡素化により低コストで合成床版の施工ができることとなった。更にボルトは、汎用の市販ボルトが使用できるために、スタッドボルトより強度の高いものが使用できる。
【図面の簡単な説明】
【図１】図１は、本発明を適用した合成床版の結合部分を示す部分断面図である。
【図２】図２は、ハンチプレートに本発明を適用してボルトを保持した構成を示す部分断面図である。
【図３】図３は、仮止め用脱落防止体単体を示す平面図である。
【図４】図４は、仮止め用脱落防止体単体を示す断面図である。
【図５】図５は、仮止め用脱落防止体の保持状態を示す説明図である。
【図６】図６は、仮止め用脱落防止体の第２の実施の形態を示す断面図である。
【図７】図７は、仮止め用脱落防止体の第３の実施の形態を示す断面図である。
【図８】図８は、仮止め用脱落防止体の第４の実施の形態を示す断面図である。
【図９】図９は、仮止め用脱落防止体の第５の実施の形態を示す断面図である。
【図１０】図１０は、仮止め用脱落防止体の第６の実施の形態を示す断面図である。
【符号の説明】
１、１１，２１、３１，４１，５１…仮止め用脱落防止体
２…ハンチプレート
３…床版パネル
４…底鋼板
５…リブ
６…コンクリート
７…ボルト
８…押さえ板
９…ナット
【図１】
2005069257.tif 000003
【図２】
2005069257.tif 000004
【図３】
2005069257.tif 000005
【図４】
2005069257.tif 000006
【図５】
2005069257.tif 000007
【図６】
2005069257.tif 000008
【図７】
2005069257.tif 000009
【図８】
2005069257.tif 000010
【図９】
2005069257.tif 000011
【図１０】
2005069257.tif 000012